(57)【特許請求の範囲】
【請求項１】
直列に接続した電子タイマ回路およびＬＥＤ発光表示回路を備えたタイマ機能付きスイッチ装置と、直列に接続した開閉接点およびＬＥＤ発光表示回路を備えた他のスイッチ装置とを含む複数のスイッチ装置を用い、負荷を複数の箇所からオンオフ操作できるようにした屋内配線方法であって、
交流電源に対し負荷を直列に接続するとともに、
前記タイマ機能付きスイッチ装置は、電子タイマ回路およびＬＥＤ発光表示回路を、前記交流電源と負荷との間に直列に挿入し、
前記他のスイッチ装置は、開閉接点およびＬＥＤ発光表示回路を、前記交流電源と負荷との間に直列に挿入し、
このとき前記タイマ機能付きスイッチ装置および他のスイッチ装置は、それぞれ並列となる配線経路をもって前記交流電源と負荷との間に挿入し、
さらに前記タイマ機能付きスイッチ装置の電子タイマ回路とＬＥＤ発光表示回路との中間部、および前記他のスイッチ装置の開閉接点とＬＥＤ発光表示回路との中間部を、互いに接続することを特徴とする屋内配線方法。
【発明の詳細な説明】
【０００１】
【発明の属する技術分野】
この発明は、電子タイマ回路およびＬＥＤ発光表示回路を備えたタイマ機能付きスイッチ装置と、開閉接点およびＬＥＤ発光表示回路を備えた他のスイッチ装置との組合せによって、多箇所から負荷をオンオフ操作できるようにした屋内配線方法に関する。
【０００２】
【従来の技術】
近年、社会生活における省エネルギ志向から、一般家庭の浴室やトイレ等に設置する換気扇等の負荷は、例えば、２Ｗ程度の低消費電力型のものが多用される傾向にある。しかも、これら換気扇等の負荷は、オフ操作した後もタイマにより一定の遅れ時間をもたせて電源を切るような使われ方が一般化してきており、そのようなタイマ機能を低消費電力で実現する電子タイマ回路を内蔵したタイマ機能付きスイッチ装置が普及してきている。
【０００３】
さらに、居住環境の多様化から、そのようなタイマ機能付きスイッチ装置を一箇所に設け、別の箇所にも発光ダイオード（ＬＥＤ）による発光表示機能を備えたスイッチ装置を設けて、複数箇所にて負荷をオンオフできるようにするとともに、いずれかのスイッチ装置によって負荷がオン状態になっているときは、各スイッチ装置の発光ダイオードを発光表示して、各所でそれを確認できるようにしたいという要望がある。
【０００４】
このような要望を満足するスイッチの配線構造を、本出願人は特開平６−１８６７７号公報において開示している。
すなわち、同公報に開示した発明の第２の実施例では、タイマ機能付きスイッチ装置（電子スイッチ）ＳＷ１とは別個に、他のスイッチ装置（操作スイッチ）ＳＷ２を用意し、これらのスイッチ装置ＳＷ１，ＳＷ２によって、二箇所で負荷２をオンオフ操作できるようにしてある。
【０００５】
図４は同公報に開示した発明の第２の実施例を模式化して示す配線図である。同図に示すように、タイマ機能付きスイッチ装置ＳＷ１は、直列に接続した電子タイマ回路１００とＬＥＤ発光表示回路２００とを内蔵しており、一方、スイッチ装置ＳＷ２は、直列に接続したスイッチ（開閉接点）Ｓ２、ＬＥＤ発光表示回路３００、および電圧調整回路４００を内蔵している。
【０００６】
そして、タイマ機能付きスイッチ装置ＳＷ１におけるＬＥＤ発光表示回路２００を負荷２に接続するとともに、電子タイマ回路１００をスイッチ装置ＳＷ２における電圧調整回路４００とＬＥＤ発光表示回路３００との中間部に接続してある。さらに、スイッチ装置ＳＷ２におけるＬＥＤ発光表示回路３００を交流電源１に接続するとともに、スイッチ（開閉接点）Ｓ２をタイマ機能付きスイッチＳＷ１における電子タイマ回路１００とＬＥＤ発光表示回路２００との中間部に接続してある。
【０００７】
【発明が解決しようとする課題】
本出願人が先に開示した特開平６−１８６７７号公報（第２の実施例）の配線構造によれば（図４参照）、タイマ機能付きスイッチ装置ＳＷ１と他のスイッチ装置ＳＷ２とによって、屋内の二箇所から換気扇等の負荷２をオンオフ操作でき、いずれか一方のスイッチ装置ＳＷ１，ＳＷ２がオン状態のときは、各スイッチ装置ＳＷ１，ＳＷ２の発光ダイオードが発光表示されて、負荷の状態を確認することができる。
【０００８】
また、タイマ機能付きスイッチ装置ＳＷ１がタイマ動作中に、他のスイッチ装置ＳＷ２を操作しても、スイッチ装置ＳＷ２に電圧調整回路４００が備わっているために、タイマ動作に必要な電圧がタイマ機能付きスイッチ装置ＳＷ１に確保される。したがって、タイマ動作をリセットされずに独立して続行させることができる。
【０００９】
しかし、同公報に開示した配線構造は、操作箇所を二箇所に限定しており、この配線構造のままでは三箇所以上で負荷をオンオフ操作することができなかった。
この発明は、このような事情に鑑みてなされたもので、三箇所以上で負荷のオンオフ操作を可能にするとともに、そのうちの少なくとも一箇所でタイマ機能付きスイッチによる時間遅れ操作ができ、しかも各箇所で発光ダイオードにより負荷のオンオフ状態を確認することができるようにすることを目的とする。
【００１０】
【課題を解決するための手段】
上記目的を達成するためにこの発明は、次のような方法をもって屋内配線することを特徴としている。
▲１▼  直列に接続した電子タイマ回路およびＬＥＤ発光表示回路を備えたタイマ機能付きスイッチ装置と、直列に接続した開閉接点およびＬＥＤ発光表示回路を備えた他のスイッチ装置とを含む複数のスイッチ装置を用いる。
▲２▼  交流電源に対し負荷を直列に接続する。
▲３▼  タイマ機能付きスイッチ装置における電子タイマ回路およびＬＥＤ発光表示回路を、交流電源と負荷との間に直列に挿入する。
▲４▼  他のスイッチ装置における開閉接点およびＬＥＤ発光表示回路を、交流電源と負荷との間に直列に挿入する。
▲５▼  上記▲３▼，▲４▼の作業においてタイマ機能付きスイッチ装置および他のスイッチ装置は、それぞれ並列となる配線経路をもって交流電源と負荷との間に挿入する。
▲６▼  タイマ機能付きスイッチ装置の電子タイマ回路とＬＥＤ発光表示回路との中間部、および他のスイッチ装置の開閉接点とＬＥＤ発光表示回路との中間部を、互いに接続する。
【００１１】
このように配線することにより、いずれのスイッチ装置を操作してもタイマ機能付きスイッチ装置が独立して作動するとともに、三箇所以上で負荷のオンオフ操作ができることは勿論、いずれかのスイッチ装置（タイマ機能付きスイッチ装置を含む）がオン状態になっているとき、そのスイッチ装置を介して各スイッチ装置のＬＥＤ発光表示回路が作動して発光ダイオードを同じ明るさに発光させることができる。
【００１２】
【発明の実施の形態】
以下、この発明の実施の形態について図面を参照して詳細に説明する。
図１はこの発明の実施形態に係る方法を使用して構成した屋内配線を示す配線図である。
この実施形態では、電子タイマ回路１００を内蔵したタイマ機能付きスイッチ装置ＳＷ１と、機械的な開閉接点Ｓ２を内蔵した２個のスイッチ装置ＳＷ２，ＳＷ２′を使用して、三箇所で負荷２をオンオフ操作できる配線構造を形成する。
【００１３】
ここで、タイマ機能付きスイッチ装置ＳＷ１は、電子タイマ回路１００およびＬＥＤ発光表示回路２００を備えており、これらの回路１００，２００を第１の接続端子ｐ１と第２の接続端子ｐ２との間へ直列に挿入してある。また、タイマ機能付きスイッチ装置ＳＷ１は、第３の接続端子ｐ３を備えており、この第３の接続端子ｐ３を電子タイマ回路１００とＬＥＤ発光表示回路２００の中間部に接続してある。
【００１４】
一方、スイッチ装置ＳＷ２，ＳＷ２′は、それぞれ第２のスイッチ（開閉接点）Ｓ２およびＬＥＤ発光表示回路３００を備えており、これら第２のスイッチＳ２およびＬＥＤ発光表示回路３００を第１の接続端子ｐ４と第２の接続端子ｐ５との間へ直列に挿入してある。また、スイッチ装置ＳＷ２，ＳＷ２′は、第３の接続端子ｐ６を備えており、この第３の接続端子ｐ６を第２のスイッチＳ２とＬＥＤ発光表示回路３００の中間部に接続してある。さらに、スイッチ装置ＳＷ２，ＳＷ２′には、第２のスイッチＳ２とＬＥＤ発光表示回路３００の中間部で、かつ第３の接続端子ｐ６の結合点より第２のスイッチＳ２側に電圧調整回路４００を挿入してあり、この電圧調整回路４００によって、第２，第３の接続端子ｐ５，ｐ６間に生じる電圧を調整できるようにしてある。
【００１５】
負荷２は交流電源１に対し直列に接続し、その負荷２と交流電源１の間にタイマ付きスイッチ装置ＳＷ１およびスイッチ装置ＳＷ２，ＳＷ２′を各々直列に挿入する。すなわち、タイマ付きスイッチ装置ＳＷ１およびスイッチ装置ＳＷ２，ＳＷ２′は、各々第１の接続端子ｐ１，ｐ４を交流電源１に接続するとともに、第２の接続端子ｐ２，ｐ５を負荷２に接続するようにする。このとき、各スイッチ装置ＳＷ１，ＳＷ２，ＳＷ２′の相互間は、並列となるようにする。
さらに、タイマ付きスイッチ装置ＳＷ１およびスイッチ装置ＳＷ２，ＳＷ２′における第３の接続端子ｐ３，ｐ６を、互いに接続する。このように配線することで、図１に示すような配線構造ができあがる。
【００１６】
この配線構造を、タイマ機能付きスイッチ装置ＳＷ１およびスイッチ装置ＳＷ２，ＳＷ２′の内部構造も含めて更に具体的に示したのが、図２および図３の配線回路図である。
なお、図２と図３を連結するために、交流電源１につながる配線をａ、負荷２につながる配線をｂ、各スイッチ装置ＳＷ１，ＳＷ２，ＳＷ２′の第３の接続端子ｐ３，ｐ６をつなぐ配線をｃで示す。
また、図２において想像線１００で囲まれた回路部分が、図１の電子タイマ回路１００に相当し、想像線２００で囲まれた回路部分が、図１のＬＥＤ発光表示回路２００に相当する。さらに、図３において想像線３００で囲まれた回路部分が、図１のＬＥＤ発光表示回路３００に相当し、想像線４００で囲まれた回路部分が、図１の電圧調整回路４００に相当している。
【００１７】
ここで、図２を参照して、タイマ機能付きスイッチ装置ＳＷ１の内部構造を説明する。
第１及び第２の接続端子ｐ１，ｐ２間には第１のトライアックＱ１と第２のトライアックＱ２とを直列に接続するとともに、両トライアックＱ１，Ｑ２の接続点には第３の接続端子ｐ３を接続している。
【００１８】
第１のトライアックＱ１の、Ｔ2 −Ｔ1 端子間にはバリスタＶＺを接続するとともに、Ｔ2 −Ｇ端子間には２個の定電圧ダイオードＺＤ１，ＺＤ２を逆直列に接続したものとホトトライアックのトライアックＱ-tとの直列回路と、２個の定電圧ダイオードＺＤ３，ＺＤ４の逆直列回路と可変抵抗器ＶＲの連動スイッチＳＶとの直列回路をそれぞれ接続している。
連動スイッチＳＶは、可変抵抗器ＶＲのシャフトを反時計方向に回し切った時にオンとなるスイッチである。なお、第１のトライアックＱ１のＴ1 −Ｇ端子間には、ノイズを防止するためのコンデンサＣ１と抵抗Ｒ１とを並列に接続している。
【００１９】
さらに、第１のトライアックＱ１のＴ2 −Ｔ1 端子間には第１のダイオードブリッジＤＢ１の交流側端子を接続し、当該第１のダイオードブリッジＤＢ１の直流側端子の陽極側にはスイッチング動作をなすＰＮＰ型の第１のトランジスタＴＲ１のエミッタＥを接続している。第１のトランジスタＴＲ１のベースＢには電流制御用の抵抗Ｒ３を介してサイリスタＳＣＲのＡ端子を接続し、そのＫ端子は第１のダイオードブリッジＤＢ１の直流側端子の陰極側に接続している。
【００２０】
さらに、第１のトランジスタＴＲ１の、エミッタＥ及びコレクタＣ間には第１のスイッチＳ１のメーク接点ｍを接続し、エミッタＥ及びベースＢ間には抵抗Ｒ２を接続している。そして、サイリスタＳＣＲのＧ−Ｋ端子間には抵抗Ｒ４とコンデンサＣ２とを並列に接続している。
上記第１のダイオードブリッジＤＢ１の直流側端子間の回路構成により、第１のスイッチＳ１のメーク接点ｍへの接続（オン操作）と同時にサイリスタＳＣＲの働きで第１のトランジスタＴＲ１が自己保持されるように自己保持回路を形成している。
【００２１】
第１のトランジスタＴＲ１のコレクタＣとサイリスタＳＣＲのＫ端子との間には電解コンデンサＣ３を接続している。これにより、第１のトランジスタＴＲ１のコレクタＣ側が直流電源電圧側ラインＶDDとなり、第１のダイオードブリッジＤＢ１の直流側端子の陰極側が直流電源グランド側ラインＶSSとなって、両ラインＶDD，ＶSS間が電解コンデンサＣ３の働きにより約５Ｖ（ボルト）の直流に平滑される。
さらに、直流電源電圧側ラインＶDDにはホトトライアックの発光ダイオードＱ-dを挿入しており、その発光ダイオードＱ-dは第１の集積回路ＩＣ１及び第２の集積回路ＩＣ２に接続している。
【００２２】
前記第１のスイッチＳ１は、ノーマルオープンのメーク接点ｍとノーマルクロスのブレーク接点ｂとを有する手動により操作される開閉器であり、そのブレーク接点ｂは反転トランジスタＴＲ３のベース側端子Ｂに接続している。
【００２３】
反転トランジスタＴＲ３は、ベース側端子Ｂから入力された信号を反転してコレクタ側端子Ｃから出力する反転回路であり、そのコレクタ側端子Ｃは第１の集積回路ＩＣ１のピン６及び抵抗Ｒ５を介して電圧側ラインＶDDに接続しているとともに、エミッタ側端子Ｅはグランド側ラインＶSSに接続している。
したがって、第１のスイッチＳ１がブレーク接点ｂに接続されている時、反転トランジスタＴＲ３のベース側端子Ｂにはローレベルの信号が入力され、コレクタ側端子Ｃからハイレベルの信号が出力される。
【００２４】
一方、第１のスイッチＳ１を操作してメーク接点ｍに接続すると、ベース側端子Ｂの入力信号がハイレベルとなり、これが反転されてコレクタ側端子Ｃからローレベルの信号が出力される。
【００２５】
第１の集積回路ＩＣ１は、主としてクロックパルスを計数するものであり、例えば、モトローラ社製のＭＣ１４５４１Ｂを適用することができる。このＭＣ１４５４１Ｂは、１６段のバイナリカウンタおよび１個の外付きコンデンサと２個の抵抗とを接続して使用する発振器を内蔵しており、最大２16＝６５５３６までのカウントが可能である。
【００２６】
ここで、第１の集積回路ＩＣ１の、ピン１〜ピン３は１個の外付きコンデンサＣ５と２個の外付き抵抗ＶＲ，Ｒ７とをつなげることにより発振する発振器の入力端子、ピン５はオートリセット端子、ピン６はマスタリセット端子、ピン７は第１のグランド電圧端子、ピン８は最大２16の出力端子、ピン９は第２のグランド電圧端子、ピン１０，ピン１２およびピン１３は第２の電源電圧端子、ピン１４は第１の電源電圧端子である。
【００２７】
第２の集積回路ＩＣ２は、主として入力されたカウントパルスの数により任意の出力のうち１本を出力するものであり、例えば、東芝製のＴＣ４０１７ＢＰを適用することができる。このＴＣ４０１７ＢＰは、５ステージのＤタイプ・フリップフロップよりなる１０進ジョンソンカウンタであり、クロックあるいはクロックインヒビット入力に印加されたカウントパルスの数により、Ｑ0 〜Ｑ9 の１０本の出力のうち１本の出力がハイレベルとなる。
【００２８】
このカウンタは、クロックインヒビットがローレベルの場合はクロックの立ち下がりで、あるいはクロックがハイレベルの場合はクロックインヒビットの立ち下がりでそれぞれカウント状態を進め、リセット入力をハイレベルにすると、クロックおよびクロックインヒビットとは無関係にカウンタのＱ0 をハイレベルにするとともに、Ｑ1 〜Ｑ9 をローレベルにそれぞれリセットする。
【００２９】
ここで、第２の集積回路ＩＣ２の、ピン２はＱ1 端子、ピン３はＱ0 端子、ピン４はＱ2 端子、ピン７はＱ3 端子、ピン８は電源電圧端子、ピン１０はＱ4 端子、ピン１３はクロックインヒビット端子、ピン１４はクロック端子、ピン１６はグランド電圧端子である。
【００３０】
第１の集積回路ＩＣ１のピン５はコンデンサＣ４を介してグランド側ラインＶSSに接続しているとともに、ピン１０およびピン１２〜ピン１４とも共通に接続して電源電圧側ラインＶDDに接続している。
また、ピン１は時限設定用の可変抵抗器ＶＲの一端に、ピン２はコンデンサＣ５の一端に、ピン３は抵抗Ｒ６の一端にそれぞれ接続しているとともに、それらの他端は互いに接続して閉回路を形成している。
【００３１】
さらに、ピン７はグランド側ラインＶSSに接続し、ピン８は第２の集積回路ＩＣ２のピン１３と接続している。而して、反転トランジスタＴＲ３の出力がハイレベルの時、ピン６がリセットされて第１の集積回路ＩＣ１が発振せず、当該ピン６の入力がローレベルに変化すると発振を開始して第１の集積回路ＩＣ１が最大２16＝６５５３６までカウントし、その後ピン８がハイレベルになり、その出力信号が第２の集積回路ＩＣ２のピン１３に入力される。
なお、可変抵抗器ＶＲは抵抗値を変化させる回転軸と、この回転軸の回転角に連動する前記連動スイッチＳＶとを有し、当該回転軸を一方へ回し切った時に連動スイッチＳＶがオンになる。
【００３２】
第２の集積回路ＩＣ２の、ピン２は第２の発光ダイオードＬＥＤ２を、ピン３は第１の発光ダイオードＬＥＤ１を、ピン４は第３の発光ダイオードＬＥＤ３を、およびピン７は第４の発光ダイオードＬＥＤ４をそれぞれ介してグランド側ラインＶSSに接続し、ピン８は直接グランド側ラインＶSSに接続している。
ピン１０は第２のスイッチング素子の一具体例を示す第２のトランジスタＴＲ２のベースＢに接続し、そのベースＢは電解コンデンサＣ６を介してグランド側ラインＶSSに接続している。
【００３３】
また、第２のトランジスタＴＲ２のコレクタＣは直接グランド側ラインＶSSに接続し、エミッタＥはサイリスタＳＣＲのＧ端子に接続している。さらに、第２の集積回路ＩＣ２のピン１４およびピン１６は、互いに接続してホトトライアックの発光ダイオードＱ-dに接続している。
【００３４】
而して、可変抵抗器ＶＲとコンデンサＣ７と抵抗Ｒ６との組み合せにより第１の集積回路ＩＣ１のクロックパルスの周期Ｔ（秒）を、当該可変抵抗器ＶＲの抵抗値の変化によって０〜１．２９msecまで可変することができ、その分周出力であるピン８の出力端子と第２の集積回路ＩＣ２のクロック入力であるピン１３のクロックインヒビット端子とを接続しているため、出力端子からクロックインヒビット端子には４５分毎にクロックパルスが入力される。
【００３５】
このクロック入力により、第２の集積回路ＩＣ２のピン３であるＱ0 端子、ピン２であるＱ1 端子、ピン４であるＱ2 端子、ピン７であるＱ3 端子およびピン１０であるＱ4 端子が４５分毎に順次ハイレベルとなり、これに対応して経過時間表示用の４個の発光ダイオードＬＥＤ１〜４が４５分毎に順次点灯される。
そして、第４の発光ダイオードＬＥＤ４が消えてピン１０がハイレベルになると、第２のトランジスタＴＲ２のベースＢにベース電流が供給され、そのエミッタ−コレクタ間が導通されて制御電圧がゼロとなる。その結果、第１のトランジスタＴＲ１とサイリスタＳＣＲとホトトライアックの発光ダイオードＱ-dおよびトライアックＱ-tがともにオフとなり、これにより第１のトライアックＱ１がオフとなるため、電源側回路の負荷電流が停止して待機状態となる。
【００３６】
また、前記第２のトライアックＱ２の、Ｔ2 −Ｇ端子間には第５の定電圧ダイオードＺＤ５を接続しているとともに、Ｔ2 −Ｔ1 端子間には第２のダイオードブリッジＤＢ２の交流側端子を接続している。第２のダイオードブリッジＤＢ２の直流側端子間には、発光ダイオードＬＥＤ５および抵抗Ｒ７の直列回路と電解コンデンサＣ７との並列回路を接続している。
【００３７】
次に、図３を参照して、スイッチ装置ＳＷ２，ＳＷ２′の内部構造を説明する。
スイッチ装置ＳＷ２，ＳＷ２′は、ともに第１および第２の接続端子ｐ４，ｐ５間に、第３のトライアックＱ３、第４のトライアックＱ４、および第２のスイッチＳ２を直列に接続するとともに、両トライアックＱ３，Ｑ４の接続点に、第３の接続端子ｐ６を接続してある。
そして、第３のトライアックＱ３のＴ2 −Ｇ端子間には、第６の定電圧ダイオードＺＤ６を接続し、同じくＴ2 −Ｔ1 端子間には、第３のダイオードブリッジＤＢ３の交流側端子を接続している。
【００３８】
第３のダイオードブリッジＤＢ３の直流側端子間には、発光ダイオードＬＥＤ６および抵抗Ｒ８の直列接続と電解コンデンサＣ８とを並列に接続している。また、第４のトライアックＱ４の、Ｔ2 −Ｇ端子間には２個の逆直列に接続した定電圧ダイオードＺＤ７，ＺＤ８を接続している。
さらに、第４のトライアックＱ４のＴ1 端子と第４の接続端子ｐ５との間には、手動操作によりオン・オフされる第２のスイッチＳ２を挿入してある。
【００３９】
上述した構造のタイマ機能付きスイッチ装置ＳＷ１およびスイッチ装置ＳＷ２，ＳＷ２′を用いて、図２および図３に示すように配線したこの実施形態の屋内配線構造によれば、次の作用をもって負荷２を複数箇所から操作することができる。
まず、連動スイッチＳＶはオフ状態にあるものとし、タイマ機能付きスイッチ装置ＳＷ１の第１のスイッチＳ１と、各スイッチ装置ＳＷ２，ＳＷ２′の第２のスイッチＳ２とがいずれもオフの場合、即ちスイッチ操作全体が待機状態にある場合には、タイマ機能付きスイッチ装置ＳＷ１の第１のトライアックＱ１が非導通状態にあるため、各スイッチ装置ＳＷ１，ＳＷ２，ＳＷ２′には電流が流れず、負荷２は駆動されない。
【００４０】
次に、一のスイッチ装置ＳＷ２における第２のスイッチＳ２をオンすると、配線ａから当該スイッチ装置ＳＷ２の第１の接続端子ｐ４、第３のトライアックＱ３、第４のトライアックＱ４、第２のスイッチＳ２、第２の接続端子ｐ５、配線ｂを通り、負荷２につながる電流経路が形成されて、負荷２が作動する。
【００４１】
このとき、当該スイッチ装置ＳＷ２に設けた発光ダイオードＬＥＤ６にも、配線ａから第１の接続端子ｐ４、発光ダイオードＬＥＤ６、第４のトライアックＱ４、第２のスイッチＳ２、第２の接続端子ｐ５、配線ｂ、負荷２という経路で電流が流れる。
【００４２】
また、他のスイッチ装置ＳＷ２′に設けた発光ダイオードＬＥＤ６には、配線ａから第１の接続端子ｐ４、発光ダイオードＬＥＤ６、第３の接続端子ｐ６、一方のスイッチ装置ＳＷ２における第３の接続端子ｐ６、第４のトライアックＱ４、第２のスイッチＳ２、第２の接続端子ｐ５、配線ｂ、負荷２という経路で電流が流れる。
【００４３】
さらに、タイマ機能付きスイッチ装置ＳＷ１に設けた発光ダイオードＬＥＤ５には、配線ａから第１の接続端子ｐ１、発光ダイオードＬＥＤ５、第３の接続端子ｐ３、スイッチ装置ＳＷ２における第３の接続端子ｐ６、第４のトライアックＱ４、第２のスイッチＳ２、第２の接続端子ｐ５、配線ｂ、負荷２という経路で電流が流れる。
これにより、負荷２の作動を各スイッチ装置ＳＷ１，ＳＷ２，ＳＷ２′に設けた各発光ダイオードＬＥＤ５，ＬＥＤ６，ＬＥＤ６の発光により確認することができる。
【００４４】
次に、各スイッチ装置ＳＷ２，ＳＷ２′に設けた第２のスイッチＳ２がオフで、タイマ機能付きスイッチ装置ＳＷ１に設けた第１のスイッチＳ１をオンした場合について説明する。
第１のスイッチＳ１をオンすると、サイリスタＳＣＲがオンとなって第１のトランジスタＴＲ１にベース電流が流れ、これにより当該第１のトランジスタＴＲ１がオン状態に自己保持される。
【００４５】
そのため、ホトトライアックの発光ダイオードＱ−d を通じて第１の集積回路ＩＣ１と第２の集積回路ＩＣ２とに電流が供給されるとともにトライアックＱ−t がオンとなり、第１および第２の定電圧ダイオードＺＤ１，ＺＤ２を通じて第１のトライアックＱ１がオンとなる。
これにより、配線ａから第１の接続端子ｐ１、第２のトライアックＱ２，第１のトライアックＱ１、第２の接続端子ｐ２、配線ｂを通り、負荷２につながる電流経路が形成されて、負荷２が作動する。
【００４６】
このとき、タイマ機能付きスイッチ装置ＳＷ１に設けた発光ダイオードＬＥＤ５にも、配線ａから第１の接続端子ｐ１、発光ダイオードＬＥＤ５、第１のトライアックＱ１、第２の接続端子ｐ２、配線ｂ、負荷２という経路で電流が流れる。
【００４７】
また、各スイッチ装置ＳＷ２，ＳＷ２′に設けた発光ダイオードＬＥＤ６，ＬＥＤ６には、それぞれ配線ａから第１の接続端子ｐ４、発光ダイオードＬＥＤ６、第３の接続端子ｐ６、タイマ機能付きスイッチ装置ＳＷ１における第３の接続端子ｐ３、第１のトライアックＱ１、第２の接続端子ｐ２、配線ｂ、負荷２という経路で電流が流れる。
これにより、負荷２の作動を各スイッチ装置ＳＷ１，ＳＷ２，ＳＷ２′に設けた各発光ダイオードＬＥＤ５，ＬＥＤ６，ＬＥＤ６の発光により確認することができる。
【００４８】
同時に、タイマ機能付きスイッチ装置ＳＷ１では、第１および第２の集積回路ＩＣ１，ＩＣ２の働きにより、４個の発光ダイオードＬＥＤ１〜４が一定時間ごとに経過時間を順次発光表示し、所定のセット時間が経過した後、第２のトランジスタＴＲ２の働きにより、電源電圧側ラインＶDDおよびグランド電圧側ラインＶSS間が導通され、制御側回路の制御電圧がゼロとなる。
その結果、第１のトランジスタＴＲ１、サイリスタＳＣＲおよびホトトライアックがともにオフとなり、したがって第１のトライアックＱ１もオフとなるため負荷電流が停止し、発光ダイオードＬＥＤ５，ＬＥＤ６，ＬＥＤ６の発光表示も消灯して待機状態となる。
【００４９】
以上は、タイマ機能付きスイッチ装置ＳＷ１またはスイッチ装置ＳＷ２，ＳＷ２′を単独で操作した場合についての説明であったが、次に、あらかじめスイッチ装置ＳＷ２が動作中であって、後からタイマ機能付きスイッチ装置ＳＷ１の第１のスイッチＳ１をオンした場合について説明する。
【００５０】
スイッチ装置ＳＷ２が動作中の時、第４のトライアックＱ４のＴ2 −Ｔ1 端子間には、当該第４のトライアックＱ４のＴ2 −Ｇ端子間に接続した２個の定電圧ダイオードＺＤ７，ＺＤ８でクリップされる電圧が確保されており、その電圧を例えば５Ｖ程度として、タイマ機能付きスイッチ装置ＳＷ１の第２および第３の接続端子ｐ２，ｐ３間に印加させておくと、第１のダイオードブリッジＤＢ１の交流側端子間に、約５Ｖの交流電圧が加わり、その直流側端子間には約５Ｖの直流電圧が発生している。
【００５１】
そのため、第１のスイッチＳ１がオンした瞬間にサイリスタＳＣＲがオンとなり、第１のトランジスタＴＲ１にベース電流が流れて当該第１のトランジスタＴＲ１がオンとなる。その結果、タイマ機能付きスイッチ装置ＳＷ１を単独で操作したときと同様の動作でホトトライアックがオンとなり、これによりオンする第１のトライアックＱ１を通じて負荷２に電流が流れる。
【００５２】
この負荷２に流れる電流は第１のトライアックＱ１と第４のトライアックＱ４とで分流して流れることとなるが、その負荷電流に基づいてタイマ機能付きスイッチ装置ＳＷ１およびスイッチ装置ＳＷ２が上述したようにそれぞれ動作を実行する。
【００５３】
次に、タイマ機能付きスイッチ装置ＳＷ１およびスイッチ装置ＳＷ２がともに動作中である時に、一方のスイッチＳＷ１またはＳＷ２がオフになった場合について説明する。
先にスイッチ装置ＳＷ２の第２のスイッチＳ２をオフにすると、配線ａ、当該スイッチ装置ＳＷ２の第１の接続端子ｐ４、第３のトライアックＱ３、第４のトライアックＱ４、第２の接続端子ｐ５、配線ｂにつながる電流経路が切断される。
【００５４】
しかし、タイマ機能付きスイッチ装置ＳＷ１はオン状態を保持しているので、配線ａ、第１の接続端子ｐ１、第２のトライアックＱ２、第１のトライアックＱ１、第２の接続端子ｐ２、配線ｂ、負荷２をつなぐ電流経路が確保され、負荷２が作動し続ける。このとき、タイマ機能付きスイッチ装置ＳＷ１の発光ダイオードＬＥＤ５にも電流が流れ、当該発光ダイオードＬＥＤ５が発光する。
【００５５】
また、タイマ機能付きスイッチ装置ＳＷ１の第１のトライアックＱ１はオン状態を保持しているので、スイッチ装置ＳＷ２については、配線ａ、第１の接続端子ｐ４、発光ダイオードＬＥＤ６、第３の接続端子ｐ６、配線ｃ、タイマ機能付きスイッチ装置ＳＷ１における第３の接続端子ｐ３、第１のトライアックＱ１、第２の接続端子ｐ２、配線ｂ、負荷２の電流経路は確保され、発光ダイオードＬＥＤ６に電流が流れる。
【００５６】
さらに、スイッチ装置ＳＷ２′についても同様に、配線ａ、第１の接続端子ｐ４、発光ダイオードＬＥＤ６、第３の接続端子ｐ６、配線ｃ、タイマ機能付きスイッチ装置ＳＷ１における第３の接続端子ｐ３、第１のトライアックＱ１、第２の接続端子ｐ２、配線ｂ、負荷２の電流経路は確保され、発光ダイオードＬＥＤ６に電流が流れる。
【００５７】
このようにして、第１および第２の集積回路ＩＣ１，ＩＣ２の作動によるタイマ動作が終了するまで、第１のトライアックＱ１を経由して負荷２、各発光ダイオードＬＥＤ５，ＬＥＤ６，ＬＥＤ６に電流が流れ、タイマ動作終了時まで負荷２が作動するとともに、各発光ダイオードＬＥＤ５，ＬＥＤ６，ＬＥＤ６が発光する。
【００５８】
また、先にタイマ機能付きスイッチ装置ＳＷ１がタイマ動作を終わってオフになると、第１のトライアックＱ１はオフとなるが、スイッチ装置ＳＷ２における第４のトライアックＱ４がオン状態を保持しているので、配線ａ、第１の接続端子ｐ４、第３のトライアックＱ３、第４のトライアックＱ４、第２の接続端子ｐ５、配線ｂ、負荷２をつなぐ電流経路が確保され、負荷２が作動し続ける。このとき、スイッチ装置ＳＷ２の発光ダイオードＬＥＤ６にも電流が流れ、当該発光ダイオードＬＥＤ６が発光する。
【００５９】
タイマ機能付きスイッチ装置ＳＷ１については、配線ａ、第１の接続端子ｐ１、発光ダイオードＬＥＤ５、第３の接続端子ｐ３、配線ｃ、スイッチ装置ＳＷ２における第３の接続端子ｐ６、第４のトライアックＱ４、第２の接続端子ｐ５、配線ｂ、負荷２の電流経路は確保され、発光ダイオードＬＥＤ５に電流が流れる。
【００６０】
さらに、スイッチ装置ＳＷ２′についても、配線ａ、第１の接続端子ｐ４、発光ダイオードＬＥＤ６、第３の接続端子ｐ６、配線ｃ、スイッチ装置ＳＷ２における第３の接続端子ｐ６、第４のトライアックＱ４、第２の接続端子ｐ５、配線ｂ、負荷２の電流経路は確保され、発光ダイオードＬＥＤ６に電流が流れる。
このようにして、第４のトライアックＱ４を経由して負荷２、各発光ダイオードＬＥＤ５，ＬＥＤ６，ＬＥＤ６に電流が流れ、負荷２が作動するとともに、各発光ダイオードＬＥＤ５，ＬＥＤ６，ＬＥＤ６が発光する。
【００６１】
上述したように、各発光ダイオードＬＥＤ５，ＬＥＤ６，ＬＥＤ６は、いずれかのスイッチ装置ＳＷ１，ＳＷ２，ＳＷ２′のＯＮ操作によって負荷２が作動しているとき、いずれもが発光するため、この発光表示によって、負荷２が作動中であることを知ることができる。
【００６２】
最後に、タイマ機能付きスイッチ装置ＳＷ１の動作中にスイッチ装置ＳＷ２の第２のスイッチＳ２をオンした場合について説明する。この場合は、第２のスイッチＳ２をオンすると、負荷２に流れる電流が第１のトライアックＱ１と第４のトライアックＱ４とに分流することになるが、負荷２への電流供給は継続されるため、タイマ機能付きスイッチ装置ＳＷ１およびスイッチ装置ＳＷ２の各動作は、互いに相手側の動作に影響されることなく実行される。
【００６３】
なお、第１のトライアックＱ１のＴ2 −Ｇ端子間に設けた２個の定電圧ダイオードＺＤ３，ＺＤ４の逆直列回路と連動スイッチＳＶとの直列回路は、タイマ動作とは無関係に第１のトライアックＱ１をオンにロックするためのものであり、連動スイッチＳＶをオンにすると、タイマ動作が終了しても第１のトライアックＱ１がオンにロックされ、負荷２が連続して駆動される。
また、上記の実施形態では、電子タイマおよびＬＥＤ発光表示回路を備えたタイマ機能付きスイッチ装置ＳＷ１を１個と、開閉接点およびＬＥＤ発光表示回路を備えたスイッチ装置を２個使用したが、これらスイッチ装置のうちいずれを何個使用するかは、必要に応じて任意に決定することができる。
【００６４】
【発明の効果】
以上説明したようにこの発明の屋内配線方法によれば、直列に接続した電子タイマ回路およびＬＥＤ発光表示回路を備えたタイマ機能付きスイッチ装置と、直列に接続した開閉接点およびＬＥＤ発光表示回路を備えた他のスイッチ装置とを含む複数のスイッチ装置を使用して、三箇所以上で負荷のオンオフ操作を可能にするとともに、そのうちの少なくとも一箇所でタイマ機能付きスイッチによる時間遅れ操作ができ、しかも各箇所でＬＥＤにより負荷のオンオフ状態を確認することができ、電気器具（負荷）の効率的なオンオフ操作が可能となる。
【図面の簡単な説明】
【図１】この発明の実施形態に係る方法を使用して構成した屋内配線を示す配線図である。
【図２】図１の屋内配線を、タイマ機能付きスイッチ装置およびスイッチ装置の内部構造も含めて更に具体的に示した配線回路図である。
【図３】図２につながる配線回路図である。
【図４】従来技術を説明するための配線図である。
【符号の説明】
１：交流電源          ２：負荷
１００：電子タイマ回路
２００，３００：ＬＥＤ発光表示回路
ＳＷ１：タイマ機能付きスイッチ装置
ＳＷ２，ＳＷ２′：スイッチ装置
ｐ１，ｐ４：第１の接続端子
ｐ２，ｐ５：第２の接続端子
ｐ３，ｐ６：第３の接続端子
Ｑ１：第１のトライアック
Ｑ２：第２のトライアック
Ｑ３：第３のトライアック
Ｑ４：第４のトライアック
Ｓ２：第２のスイッチ
ＬＥＤ５，ＬＥＤ６：発光ダイオード
【図１】
0003891606.tif 000002
【図２】
0003891606.tif 000003
【図３】
0003891606.tif 000004
【図４】
0003891606.tif 000005